(57)【要約】【課題】  複数のモータによって駆動する画像形成装置、画像形成方法、及び画像形成プログラムを提供する。【解決手段】  画像形成装置内に予め格納された設定（例えば、予め設定された静音モードによる画像形成動作を実行する時間帯）に応じて、画像形成装置が有する各アクチュエータを起動させるモータの回転速度を制御することにより、画像形成過程においてモータから発せられる騒音を低減することができる。また、モータの回転速度を制御すると同時に、画像形成装置が有する各アクチュエータを起動・停止させるタイミングをずらして画像形成動作を行うことにより、画像形成動作によって生じる騒音をより効果的に低減することができる。また、各アクチュエータの無駄な動作時間を削減することができる。【選択図】  図１
2007034206.tif 000002
【特許請求の範囲】
【請求項１】
アクチュエータを駆動させる複数のモータ有する画像形成装置において、
前記各モータを低速度で回転させ、該回転速度に合わせて画像形成動作を実行する制御手段を有することを特徴とする画像形成装置。
【請求項２】
前記制御手段によって前記各モータを低速度で回転させるか否かを決定する決定手段を有することを特徴とする請求項１記載の画像形成装置。
【請求項３】
前記制御手段によって前記各モータを低速度で回転させるか否かを設定する設定手段と、
前記設定手段による前記各モータを低速度で回転させるか否かの設定を記憶する記憶手段とを有し、
前記決定手段は、前記記憶手段に記憶された設定に基づいて前記各モータを低速度で回転させるか否かを決定することを特徴とする請求項２記載の画像形成装置。
【請求項４】
現在時刻を計時する計時手段と、
前記各モータを低速度で回転させて画像形成動作を行う時間帯を記憶する時間記憶手段とを有し、
前記設定手段は、前記計時手段によって計時されている現在時刻が前記時間記憶手段に記憶された時間帯にあるとき、前記各モータを低速度で回転させることを設定することを特徴とする請求項３記載の画像形成装置。
【請求項５】
前記画像形成装置周辺の気温を計測する気温計測手段と、
前記各モータを低速度で回転させる気温を記憶する気温記憶手段とを有し、
前記設定手段は、前記気温計測手段によって計測された気温が前記気温記憶手段に記憶された気温以上でないとき、前記各モータを低速度で回転させることを設定することを特徴とする請求項３記載の画像形成装置。
【請求項６】
前記画像形成装置周辺の湿度を計測する湿度計測手段と、
前記各モータを低速度で回転させる湿度を記憶する湿度記憶手段とを有し、
前記設定手段は、前記湿度計測手段によって計測された湿度が前記湿度記憶手段に記憶された湿度以下でないとき、前記各モータを低速度で回転させることを設定することを設定することを特徴とする請求項３記載の画像形成装置。
【請求項７】
前記各モータを起動・停止するタイミングをずらして画像形成動作を実行することを特徴とする請求項１から６のいずれか１項記載の画像形成装置。
【請求項８】
アクチュエータを駆動させる複数のモータ有する画像形成装置の画像形成方法において、
前記各モータを低速度で回転させ、該回転速度に合わせて画像形成動作を実行する制御工程を有することを特徴とする画像形成方法。
【請求項９】
前記制御工程によって前記各モータを低速度で回転させるか否かを決定する決定工程を有することを特徴とする請求項８記載の画像形成方法。
【請求項１０】
前記画像形成装置は、設定工程による前記各モータを低速度で回転させるか否かの設定を記憶する記憶手段を有し、
前記制御工程によって前記各モータを低速度で回転させるか否かを設定する前記設定工程と、
前記決定工程は、前記記憶手段に記憶された設定に基づいて前記各モータを低速度で回転させるか否かを決定する工程とを有することを特徴とする請求項９記載の画像形成方法。
【請求項１１】
前記画像形成装置は、前記各モータを低速度で回転させて画像形成動作を行う時間帯を記憶する時間記憶手段を有し、
現在時刻を計時する計時工程と、
前記設定工程は、前記計時工程によって計時されている現在時刻が前記時間記憶手段に記憶された時間帯にあるとき、前記各モータを低速度で回転させることを設定する工程とを有することを特徴とする請求項１０記載の画像形成方法。
【請求項１２】
前記画像形成装置は、前記各モータを低速度で回転させる気温を記憶する気温記憶手段を有し、
前記画像形成装置周辺の気温を計測する気温計測工程と、
前記設定工程は、前記気温計測工程によって計測された気温が前記気温記憶手段に記憶された気温以上でないとき、前記各モータを低速度で回転させることを設定する工程とを有することを特徴とする請求項１０記載の画像形成方法。
【請求項１３】
前記画像形成装置は、前記各モータを低速度で回転させる湿度を記憶する湿度記憶手段を有し、
前記画像形成装置周辺の湿度を計測する湿度計測工程と、
前記設定工程は、前記湿度計測工程によって計測された湿度が前記湿度記憶手段に記憶された湿度以下でないとき、前記各モータを低速度で回転させることを設定する工程とを有することを特徴とする請求項１０記載の画像形成方法。
【請求項１４】
アクチュエータを駆動させる複数のモータ有する画像形成装置の画像形成プログラムにおいて、
前記各モータを低速度で回転させ、該回転速度に合わせて画像形成動作を実行する制御処理を有することを特徴とする画像形成プログラム。
【請求項１５】
前記制御処理によって前記各モータを低速度で回転させるか否かを決定する決定処理を有することを特徴とする請求項１４記載の画像形成プログラム。
【請求項１６】
前記画像形成装置は、設定処理による前記各モータを低速度で回転させるか否かの設定を記憶する記憶手段を有し、
前記制御処理によって前記各モータを低速度で回転させるか否かを設定する前記設定処理と、
前記決定処理は、前記記憶手段に記憶された設定に基づいて前記各モータを低速度で回転させるか否かを決定する処理とを有することを特徴とする請求項１５記載の画像形成プログラム。
【請求項１７】
前記画像形成装置は、前記各モータを低速度で回転させて画像形成動作を行う時間帯を記憶する時間記憶手段を有し、
現在時刻を計時する計時処理と、
前記設定処理は、前記計時処理によって計時されている現在時刻が前記時間記憶手段に記憶された時間帯にあるとき、前記各モータを低速度で回転させることを設定する処理とを有することを特徴とする請求項１６記載の画像形成プログラム。
【請求項１８】
前記画像形成装置は、前記各モータを低速度で回転させる気温を記憶する気温記憶手段を有し、
前記画像形成装置周辺の気温を計測する気温計測処理と、
前記設定処理は、前記気温計測処理によって計測された気温が前記気温記憶手段に記憶された気温以上でないとき、前記各モータを低速度で回転させることを設定する処理とを有することを特徴とする請求項１６記載の画像形成プログラム。
【請求項１９】
前記画像形成装置は、前記各モータを低速度で回転させる湿度を記憶する湿度記憶手段を有し、
前記画像形成装置周辺の湿度を計測する湿度計測処理と、
前記設定処理は、前記湿度計測処理によって計測された湿度が前記湿度記憶手段に記憶された湿度以下でないとき、前記各モータを低速度で回転させることを設定する処理とを有することを特徴とする請求項１６記載の画像形成プログラム。
【発明の詳細な説明】
【技術分野】
【０００１】
本発明は、複数のモータによって駆動する画像形成装置、画像形成方法、及び画像形成プログラムに関する。
【背景技術】
【０００２】
電子写真方式の画像形成装置において、転写終了後、感光ドラム上に残留したトナーを除去するためのクリーニング装置として、クリーニングブレードが用いられる。ところが、クリーニングブレードを用いると、回転する感光ドラム表面から受ける外振力によるクリーニングブレードの振動や、感光ドラムとクリーニングブレードとの間で発生する摩擦力に起因して、一般に「ブレード鳴き」と呼ばれている異音が発生する。また、画像形成装置が有する給紙モータ、ドラムモータ、定着モータ等のアクチュエータからも騒音が発生する。従来、このブレード鳴きやモータの騒音が発生し、騒音限界に達するまでの時間を予め統計学的手法で測定しておき、その時間より短めに部品交換時期を設定している。
【０００３】
特許文献１では、ブレード鳴きや給紙モータ、現像モータ、ドラムモータ、定着モータから発生する騒音を画像形成装置内に設けた集音マイクにより検出し、検出した音を増幅器で増幅し、増幅された音を周波数分解し、予め設定された正常時の音量、周波数、周期と比較することにより、異音発生部品等を検出し、エラーメッセージ等を表示することにより画像形成装置のメンテナンスを容易にする画像形成装置が提案されている。
【０００４】
特許文献２では、パスワード・ユーザコードといった個人・機密情報を直接音声出力しないことにより、操作を容易に特定できなくし、機密情報の第三者への漏洩を予防することができる画像形成装置が提案されている。
【特許文献１】特開２００４−２２６４８２号公報
【特許文献２】特開２００３−３３５０３６号公報
【発明の開示】
【発明が解決しようとする課題】
【０００５】
しかし、上記の発明は以下の問題を有している。
【０００６】
従来の画像形成装置においては、画像形成装置が有するクリーニング部、給紙モータ、ドラムモータ、定着モータ等から発せられる騒音を検出して、検出された騒音のレベルに応じて画像形成装置内の異常や各アクチュエータの交換時期を知らせることができるが、画像形成装置が置かれている環境に応じて、その騒音レベルを制御することができなかった。
【０００７】
例えば、画像形成装置が置かれている周りの環境の騒音が大きいにも係わらず、画像形成装置から発せられる騒音を抑えても、画像形成動作の処理速度を低下させるだけで、効果的な対処方法とは言えない。
【０００８】
そこで、本発明は、画像形成装置が置かれている状況（例えば、予め設定された静音モードによる画像形成動作を実行する時間帯）に応じて、画像形成装置が有する各アクチュエータを動作させるために搭載するモータの回転速度を制御することにより、画像形成動作によって生じる騒音を効果的に低減することができる画像形成装置、画像形成方法、及び画像形成プログラムを提案することを目的としている。
【課題を解決するための手段】
【０００９】
請求項１記載の発明は、アクチュエータを駆動させる複数のモータ有する画像形成装置において、前記各モータを低速度で回転させ、該回転速度に合わせて画像形成動作を実行する制御手段を有することを特徴とする。
【００１０】
請求項２記載の発明は、請求項１記載の画像形成装置において、前記制御手段によって前記各モータを低速度で回転させるか否かを決定する決定手段を有することを特徴とする。
【００１１】
請求項３記載の発明は、請求項２記載の画像形成装置において、前記制御手段によって前記各モータを低速度で回転させるか否かを設定する設定手段と、前記設定手段による前記各モータを低速度で回転させるか否かの設定を記憶する記憶手段とを有し、前記決定手段は、前記記憶手段に記憶された設定に基づいて前記各モータを低速度で回転させるか否かを決定することを特徴とする。
【００１２】
請求項４記載の発明は、請求項３記載の画像形成装置において、現在時刻を計時する計時手段と、前記各モータを低速度で回転させて画像形成動作を行う時間帯を記憶する時間記憶手段とを有し、前記設定手段は、前記計時手段によって計時されている現在時刻が前記時間記憶手段に記憶された時間帯にあるとき、前記各モータを低速度で回転させることを設定することを特徴とする。
【００１３】
請求項５記載の発明は、請求項３記載の画像形成装置において、前記画像形成装置周辺の気温を計測する気温計測手段と、前記各モータを低速度で回転させる気温を記憶する気温記憶手段とを有し、前記設定手段は、前記気温計測手段によって計測された気温が前記気温記憶手段に記憶された気温以上でないとき、前記各モータを低速度で回転させることを設定することを特徴とする。
【００１４】
請求項６記載の発明は、請求項３記載の画像形成装置において、前記画像形成装置周辺の湿度を計測する湿度計測手段と、前記各モータを低速度で回転させる湿度を記憶する湿度記憶手段とを有し、前記設定手段は、前記湿度計測手段によって計測された湿度が前記湿度記憶手段に記憶された湿度以下でないとき、前記各モータを低速度で回転させることを設定することを設定することを特徴とする。
【００１５】
請求項７記載の発明は、請求項１から６のいずれか１項記載の画像形成装置において、前記各モータを起動・停止するタイミングをずらして画像形成動作を実行することを特徴とする。
【００１６】
請求項８記載の発明は、アクチュエータを駆動させる複数のモータ有する画像形成装置の画像形成方法において、前記各モータを低速度で回転させ、該回転速度に合わせて画像形成動作を実行する制御工程を有することを特徴とする。
【００１７】
請求項９記載の発明は、請求項８記載の画像形成方法において、前記制御工程によって前記各モータを低速度で回転させるか否かを決定する決定工程を有することを特徴とする。
【００１８】
請求項１０記載の発明は、請求項９記載の画像形成方法において、前記画像形成装置は、設定工程による前記各モータを低速度で回転させるか否かの設定を記憶する記憶手段を有し、前記制御工程によって前記各モータを低速度で回転させるか否かを設定する前記設定工程と、前記決定工程は、前記記憶手段に記憶された設定に基づいて前記各モータを低速度で回転させるか否かを決定する工程とを有することを特徴とする。
【００１９】
請求項１１記載の発明は、請求項１０記載の画像形成方法において、前記画像形成装置は、前記各モータを低速度で回転させて画像形成動作を行う時間帯を記憶する時間記憶手段を有し、現在時刻を計時する計時工程と、前記設定工程は、前記計時工程によって計時されている現在時刻が前記時間記憶手段に記憶された時間帯にあるとき、前記各モータを低速度で回転させることを設定する工程とを有することを特徴とする。
【００２０】
請求項１２記載の発明は、請求項１０記載の画像形成方法において、前記画像形成装置は、前記各モータを低速度で回転させる気温を記憶する気温記憶手段を有し、前記画像形成装置周辺の気温を計測する気温計測工程と、前記設定工程は、前記気温計測工程によって計測された気温が前記気温記憶手段に記憶された気温以上でないとき、前記各モータを低速度で回転させることを設定する工程とを有することを特徴とする。
【００２１】
請求項１３記載の発明は、請求項１０記載の画像形成方法において、前記画像形成装置は、前記各モータを低速度で回転させる湿度を記憶する湿度記憶手段を有し、前記画像形成装置周辺の湿度を計測する湿度計測工程と、前記設定工程は、前記湿度計測工程によって計測された湿度が前記湿度記憶手段に記憶された湿度以下でないとき、前記各モータを低速度で回転させることを設定する工程とを有することを特徴とする。
【００２２】
請求項１４記載の発明は、アクチュエータを駆動させる複数のモータ有する画像形成装置の画像形成プログラムにおいて、前記各モータを低速度で回転させ、該回転速度に合わせて画像形成動作を実行する制御処理を有することを特徴とする。
【００２３】
請求項１５記載の発明は、請求項１４記載の画像形成プログラムにおいて、前記制御処理によって前記各モータを低速度で回転させるか否かを決定する決定処理を有することを特徴とする。
【００２４】
請求項１６記載の発明は、請求項１５記載の画像形成プログラムにおいて、前記画像形成装置は、設定処理による前記各モータを低速度で回転させるか否かの設定を記憶する記憶手段を有し、前記制御処理によって前記各モータを低速度で回転させるか否かを設定する前記設定処理と、前記決定処理は、前記記憶手段に記憶された設定に基づいて前記各モータを低速度で回転させるか否かを決定する処理とを有することを特徴とする。
【００２５】
請求項１７記載の発明は、請求項１６記載の画像形成プログラムにおいて、前記画像形成装置は、前記各モータを低速度で回転させて画像形成動作を行う時間帯を記憶する時間記憶手段を有し、現在時刻を計時する計時処理と、前記設定処理は、前記計時処理によって計時されている現在時刻が前記時間記憶手段に記憶された時間帯にあるとき、前記各モータを低速度で回転させることを設定する処理とを有することを特徴とする。
【００２６】
請求項１８記載の発明は、請求項１６記載の画像形成プログラムにおいて、前記画像形成装置は、前記各モータを低速度で回転させる気温を記憶する気温記憶手段を有し、前記画像形成装置周辺の気温を計測する気温計測処理と、前記設定処理は、前記気温計測処理によって計測された気温が前記気温記憶手段に記憶された気温以上でないとき、前記各モータを低速度で回転させることを設定する処理とを有することを特徴とする。
【００２７】
請求項１９記載の発明は、請求項１６記載の画像形成プログラムにおいて、前記画像形成装置は、前記各モータを低速度で回転させる湿度を記憶する湿度記憶手段を有し、前記画像形成装置周辺の湿度を計測する湿度計測処理と、前記設定処理は、前記湿度計測処理によって計測された湿度が前記湿度記憶手段に記憶された湿度以下でないとき、前記各モータを低速度で回転させることを設定する処理とを有することを特徴とする。
【発明の効果】
【００２８】
本発明は、画像形成装置が置かれている状況（例えば、予め設定された静音モードによる画像形成動作を実行する時間帯）に応じて、画像形成装置が有する各アクチュエータを動作させるために搭載するモータの回転速度を制御することにより、画像形成動作によって生じる騒音を効果的に低減することができる。
【発明を実施するための最良の形態】
【００２９】
以下に本発明の一実施形態に係わる画像形成装置の構成及び動作について説明する。
【００３０】
図１は、本実施形態に係わる画像形成装置の断面図である。本実施形態に係わる画像形成装置は、原稿を読み取るスキャナ部１、スキャナ部１から画像を読み込み、レーザとして出力するレーザユニット２、図示しない帯電装置によって表面が均一かつ一様に帯電させられる感光ドラム３、感光ドラム３近傍にある現像器４、転写紙が入れられている給紙部５、感光ドラム３上のトナー像を転写紙に移しとる転写部６、感光ドラム３上に残留したトナーを掻き落とすクリーニングブレード７、クリーニングブレード７が掻き落としたトナーを溜めておくドラムクリーナ部８、感光ドラム３から転写紙を搬送する紙搬送部９、紙搬送部９から入る転写紙上のトナーを定着させる定着部１０、及び画像形成装置における高圧電源部１１を有して構成される。
【００３１】
同図を用いて画像形成装置の基本的な動作を説明する。スキャナ部１で原稿の画像信号を読み込み、画像信号をレーザユニット２に入力する。レーザユニット２から照射したレーザ光によって感光ドラム３上に潜像が作られ、現像器４によって現像される。上記潜像とタイミングを合わせて給紙部５より転写紙が搬送され、転写部６において上記現像されたトナー像が転写される。感光ドラム３上に残留したトナーはクリーニングブレード７によって掻き落とされ、ドラムクリーナ部８に溜まる。転写されたトナー像は定着器１０にて転写紙に定着されたあと、装置外部に排出される。
【００３２】
次に、本実施形態に係わる画像形成装置のハードウェア構成について図２を用いて説明する。
【００３３】
本実施形態に係わる画像形成装置は、ＲＯＭ２１、ＲＡＭ２２、ＮＶＲＡＭ２３、操作部２４、読取部２５、記憶部２６、通信部２７、モデム２８、ホストＩ／Ｆ２９、及びＣＰＵを有して構成される。
【００３４】
ＲＯＭ２１は、プログラムコード、フォント、及びその他の静的なデータが格納される。ＲＡＭ２２は、一時的な記憶場所として利用される。ＮＶＲＡＭ２３は、不揮発性のデータを格納する。操作部２４は、操作パネル２４ａとパネル制御部２４ｂとを有して構成され、ユーザとのインターフェースを司る。読取部２５は、スキャン／プリントエンジン２５ａとエンジン制御部２５ｂとを有して構成され、イメージデータの入出力ユニットとして、紙原稿の読み取りと転写紙への印刷を実行する。記憶部２６は、記憶装置２６ａとディスクドライバ２６ｂとを有して構成され、大量のイメージデータなどの蓄積やデータベースの記憶場所として利用される。通信部２７は、イーサネット（登録商標）等のネットワークに接続され、外部の機器との通信を可能とする。なお、操作部２４と読取部２５との通信に利用することも可能である。モデム２８は、公衆回線と接続され、外部の機器との通信を実現する。ホストＩ／Ｆ２９は、セントロニクスやＲＳ−２３２Ｃ等のインターフェースを用いてホスト外部の機器との通信を可能とする。
【００３５】
次に、本実施形態に係わる画像形成装置のソフトウェア構成について図３を用いて説明する。
【００３６】
本実施形態に係わる画像形成装置のソフトウェアは、アプリケーションプログラム３１、パネル制御プログラム３２、エンジン制御プログラム３３、通信制御プログラム３４、パネルドライバ３５、エンジンドライバ３６、通信ドライバ３７、及びオペレーションシステム３８を有して構成される。
【００３７】
アプリケーションプログラム３１は、コピー、ファクス、プリンタなどの機能実行を管理する。パネル制御プログラム３２は、パネル制御部２４ｂを介して操作パネル２４ａを制御し、ユーザからの情報をアプリケーションプログラム３１に伝え、アプリケーションプログラム３１からの情報をユーザに伝える。パネルドライバ３５は、パネル制御プログラム３２の指示によりオペレーションシステム３８を介して操作パネル２４ａを制御する。エンジン制御プログラム３３は、エンジンドライバ３６を介してスキャン／プリントエンジン２５ｂを制御し、スキャン／プリントエンジン２５ｂからの情報をアプリケーションプログラム３１に伝え、アプリケーションプログラム３１からの情報をスキャン／プリントエンジン２５ａに伝える。エンジンドライバ３６は、エンジン制御プログラム３３の指示によりオペレーションシステム３８を介して読取部２５を制御する。通信制御プログラム３４は、通信ドライバ３７を介してネットワーク通信を制御し、ネットワーク２００上の通信相手（ＰＣ３００）からの情報をアプリケーションプログラム３１に伝え、アプリケーションプログラム３１からの情報をネットワーク２００上の通信相手（ＰＣ３００）に伝える。通信ドライバ３７は、通信制御プログラム３４の指示によりオペレーションシステム３８を介して物理ネットワーク通信を制御する。オペレーションシステム３８は、各種ドライバからの指示に基づき物理デバイスを制御し、物理デバイスの情報を各デバイスドライバに伝え、各デバイスドライバからの情報を物理デバイスに伝える。
【００３８】
ここで、エンジン制御プログラム３３の具体的な構成について図４を用いて説明する。エンジン制御プログラム３３は、全体制御プログラム４１、定着制御プログラム４２、給紙・搬送制御プログラム４３、及び作像制御プログラム４４を有して構成される。全体制御プログラム４１は、定着制御プログラム４２、作像制御プログラム４４、及び給紙搬送制御プログラム４３を管理する。定着制御プログラム４２は、定着部１０が有するローラの温度を制御する。給紙搬送制御プログラム４３は、給紙部５及び紙搬送部９の画像形成時における紙の給紙搬送に関する動作を制御する。作像制御プログラム４４は、レーザユニット２、感光ドラム３、現像器４における画像形成に係わる動作を制御する。
【００３９】
次に、本実施形態に係わる画像形成装置による騒音を低減する処理について図５を用いて説明する。
【００４０】
まず、画像形成装置は、ユーザによる操作部２４からの画像形成動作の要求を待って待機する（ステップＳ５０１）。操作部２４を通じて画像形成動作の要求がなされると（ステップＳ５０１／ＹＥＳ）、ＣＰＵは画像形成装置から発せられる騒音を低減するモード（以下、静音モードとする）に係わる設定がＮＶＲＡＭ２３に格納されているか否かを確認する（ステップＳ５０２）。静音モードの設定は、操作部２４を通じてユーザによって予め設定されているものとする。例えば、ユーザは静音モードによる画像形成動作を実行する時間帯をＮＶＲＡＭ２３に格納しておき、ＣＰＵが画像形成動作の実行に際して該時間帯を読み出し、現在時刻と対比して静音モードによる画像形成動作を実行するか否かを判断する構成としてもよい。
【００４１】
そして、ＮＶＲＡＭ２３に静音モードによる画像形成動作を要求する設定が格納されていた場合は（ステップＳ５０２／ＹＥＳ）、画像形成過程において各アクチュエータを起動させるモータを低回転速度で回転させ、その速度に合わせた画像形成動作を実行する（ステップＳ５０３）。
【００４２】
一方、ＮＶＲＡＭ２３に静音モードによる画像形成動作を要求する設定が格納されていなかった場合は（ステップＳ５０２／ＮＯ）、画像形成過程において各アクチュエータを起動させるモータを高回転速度で回転させ、その速度に合わせた画像形成動作を実行する（ステップＳ５０４）。
【００４３】
上述の処理によれば、本実施形態に係わる画像形成装置の設定（例えば、予め設定された静音モードによる画像形成動作を実行する時間帯）に応じて、画像形成装置が有する各アクチュエータを起動させるモータの回転速度を制御することにより、画像形成過程においてモータから発せられる騒音を低減することができる。また、モータの回転速度を制御すると同時に、画像形成装置が有する各アクチュエータを起動・停止させるタイミングをずらして画像形成動作を行うことにより、画像形成動作によって生じる騒音をより効果的に低減することができる。また、各アクチュエータの無駄な動作時間を削減することができる。
【００４４】
次に、図６及び図７を用いて他の本実施形態に係わる画像形成装置の構成及び処理について説明する。なお、図６に示すように、本実施形態に係わる画像形成装置は、現在時刻を計時する計時部１２を有する以外のハードウェア構成は、図２に示したハードウェア構成と同様であるため、ここでは説明を省略する。
【００４５】
まず、画像形成装置は、ユーザによる操作部２４からの画像形成動作の要求を待って待機する（ステップＳ７０１）。操作部２４を通じて画像形成動作の要求がなされると（ステップＳ７０１／ＹＥＳ）、計時部１２により現在時刻を取得する（ステップＳ７０２）。次に、ＣＰＵは現在時刻がＮＶＲＡＭ２３に予め設定された時間帯（例えば、画像形成装置が頻繁に使用される時間帯など）にあるか否かを判断する（ステップＳ７０３）。
【００４６】
そして、ＣＰＵにより現在時刻がＮＶＲＡＭ２３に予め設定された時間帯にないと判断された場合は（ステップＳ７０３／ＮＯ）、ＣＰＵは静音モードによる画像形成動作を実行する設定をＮＶＲＡＭ２３に格納する（ステップＳ７０４）。一方、ＣＰＵにより現在時刻が、ＮＶＲＡＭ２３に予め設定された時間帯にあると判断された場合は（ステップＳ７０３／ＹＥＳ）、静音モードの設定は行われない。
【００４７】
次に、ＣＰＵは、ＮＶＲＡＭ２３に静音モードが設定されているか否かを確認する（ステップＳ７０５）。そして、ＮＶＲＡＭ２３に静音モードによる画像形成動作を要求する設定が格納されていた場合は（ステップＳ７０５／ＹＥＳ）、画像形成過程において各アクチュエータを起動させるモータを低回転速度で回転させ、その速度に合わせた画像形成動作を実行する（ステップＳ７０６）。
【００４８】
一方、ＮＶＲＡＭ２３に静音モードによる画像形成動作を要求する設定が格納されていなかった場合は（ステップＳ７０５／ＮＯ）、画像形成過程において各アクチュエータを起動させるモータを高回転速度で回転させ、その速度に合わせた画像形成動作を実行する（ステップＳ７０７）。
【００４９】
上述の処理によれば、ユーザが静音モードによる画像形成動作を希望する時間帯を予め登録しておくことにより、ユーザが画像形成装置を使用する度に静音モードによる画像形成動作の実行を設定していなくても、自動的に静音モードに移行し、画像形成動作を実行でき、かつ静音モードに設定された場合はモータを低回転速度で回転させ、その回転速度に合わせて画像形成動作を実行することにより、画像形成改定において生じる騒音を効果的に低減することができる。また、モータの回転速度を制御すると同時に、画像形成装置が有する各アクチュエータを起動・停止させるタイミングをずらして画像形成動作を行うことにより、画像形成動作によって生じる騒音をより効果的に低減することができる。また、各アクチュエータの無駄な動作時間を削減することができる。
【００５０】
次に、図８及び図９を用いて他の本実施形態に係わる画像形成装置の構成及び処理について説明する。なお、図８に示すように、本実施形態に係わる画像形成装置は、画像形成装置が設置されている周辺の外気温の温度を計測する温度センサ１３を有する以外のハードウェア構成は、図２に示したハードウェア構成と同様であるため、ここでは説明を省略する。
【００５１】
まず、画像形成装置は、ユーザによる操作部２４からの画像形成動作の要求を待って待機する（ステップＳ９０１）。操作部２４を通じて画像形成動作の要求がなされると（ステップＳ９０１／ＹＥＳ）、温度センサ１３により画像形成装置の周りの外気温を計測する（ステップＳ９０２）。次に、ＣＰＵは計測された外気温がＮＶＲＡＭ２３に予め設定された温度以上であるか否かを判断する（ステップＳ９０３）。
【００５２】
そして、ＣＰＵにより外気温が予め設定された温度以上でないと判断された場合には（ステップＳ９０３／ＮＯ）、ＣＰＵは静音モードによる画像形成動作を実行する設定をＮＶＲＡＭ２３に格納する（ステップＳ９０４）。一方、ＣＰＵにより外気温がＮＶＲＡＭ２３に予め設定された温度よりも低いと判断された場合は（ステップＳ９０３／ＹＥＳ）、静音モードの設定は行われない。
【００５３】
次に、ＣＰＵは、ＮＶＲＡＭ２３に静音モードが設定されているか否かを確認する（ステップＳ９０５）。そして、ＮＶＲＡＭ２３に静音モードによる画像形成動作を要求する設定が格納されていた場合は（ステップＳ９０５／ＹＥＳ）、画像形成過程において各アクチュエータを起動させるモータを低回転速度で回転させ、その速度に合わせた画像形成動作を実行する（ステップＳ９０６）。
【００５４】
一方、ＮＶＲＡＭ２３に静音モードによる画像形成動作を要求する設定が格納されていなかった場合は（ステップＳ９０５／ＮＯ）、画像形成過程において各アクチュエータを起動させるモータを高回転速度で回転させ、その速度に合わせた画像形成動作を実行する（ステップＳ９０７）。
【００５５】
上述の処理によれば、画像形成装置が設置されている場所に人がいなくなった等の要因によって、画像形成装置が設置されている場所の気温が下がった場合に、画像形成装置が使用される可能性が低いと画像形成装置が自動的に判断し、ユーザが画像形成装置を使用する度に静音モードによる画像形成動作の実行を設定していなくても、自動的に静音モードに移行し、画像形成動作を実行でき、かつ静音モードに設定された場合はモータを低回転速度で回転させ、その回転速度に合わせて画像形成動作を実行することにより、画像形成改定において生じる騒音を効果的に低減することができる。また、モータの回転速度を制御すると同時に、画像形成装置が有する各アクチュエータを起動・停止させるタイミングをずらして画像形成動作を行うことにより、画像形成動作によって生じる騒音をより効果的に低減することができる。また、各アクチュエータの無駄な動作時間を削減することができる。
【００５６】
次に、図１０及び図１１を用いて他の本実施形態に係わる画像形成装置の構成及び処理について説明する。なお、図１０に示すように、本実施形態に係わる画像形成装置は、画像形成装置が設置されている周辺の湿度を計測する湿度センサ１４を有する以外のハードウェア構成は、図２に示したハードウェア構成と同様であるため、ここでは説明を省略する。
【００５７】
まず、画像形成装置は、ユーザによる操作部２４からの画像形成動作の要求を待って待機する（ステップＳ１１０１）。操作部２４を通じて画像形成動作の要求がなされると（ステップＳ１１０１／ＹＥＳ）、湿度センサ１４により画像形成装置の周りの湿度を計測する（ステップＳ１１０２）。次に、ＣＰＵは計測された外気温がＮＶＲＡＭ２３に予め設定された湿度以下であるか否かを判断する（ステップＳ１１０３）。
【００５８】
そして、ＣＰＵにより計測された湿度が予め設定された湿度以下でないと判断された場合には（ステップＳ１１０３／ＮＯ）、ＣＰＵは静音モードによる画像形成動作を実行する設定をＮＶＲＡＭ２３に格納する（ステップＳ１１０４）。一方、ＣＰＵにより計測された湿度がＮＶＲＡＭ２３に予め設定されたよりも高いと判断された場合は（ステップＳ１１０３／ＹＥＳ）、静音モードの設定は行われない。
【００５９】
次に、ＣＰＵは、ＮＶＲＡＭ２３に静音モードが設定されているか否かを確認する（ステップＳ１１０５）。そして、ＮＶＲＡＭ２３に静音モードによる画像形成動作を要求する設定が格納されていた場合は（ステップＳ１１０５／ＹＥＳ）、画像形成過程において各アクチュエータを起動させるモータを低回転速度で回転させ、その速度に合わせた画像形成動作を実行する（ステップＳ１１０６）。
【００６０】
一方、ＮＶＲＡＭ２３に静音モードによる画像形成動作を要求する設定が格納されていなかった場合は（ステップＳ１１０５／ＮＯ）、画像形成過程において各アクチュエータを起動させるモータを高回転速度で回転させ、その速度に合わせた画像形成動作を実行する（ステップＳ１１０７）。
【００６１】
上述の処理によれば、画像形成装置が設置されている場所に人がいなくなった等の要因によって、画像形成装置が設置されている場所の湿度が変化した場合に、画像形成装置が使用される可能性が低いと画像形成装置が自動的に判断し、ユーザが画像形成装置を使用する度に静音モードによる画像形成動作の実行を設定していなくても、自動的に静音モードに移行し、画像形成動作を実行でき、かつ静音モードに設定された場合はモータを低回転速度で回転させ、その回転速度に合わせて画像形成動作を実行することにより、画像形成改定において生じる騒音を効果的に低減することができる。また、モータの回転速度を制御すると同時に、画像形成装置が有する各アクチュエータを起動・停止させるタイミングをずらして画像形成動作を行うことにより、画像形成動作によって生じる騒音をより効果的に低減することができる。また、各アクチュエータの無駄な動作時間を削減することができる。
【図面の簡単な説明】
【００６２】
【図１】本実施形態に係わる画像形成装置の概略図である。
【図２】本実施形態に係わる画像形成装置のハードウェア構成を示すブロック図である。
【図３】本実施形態に係わる画像形成装置のソフトウェア構成を示すブロック図である。
【図４】エンジン制御プログラムの具体的な構成を示すブロック図である。
【図５】本実施形態に係わる画像形成装置による騒音を低減する処理のフローチャートである。
【図６】本実施形態に係わる画像形成装置のハードウェア構成を示す図である。
【図７】本実施形態に係わる画像形成装置による騒音を低減する処理のフローチャートである。
【図８】本実施形態に係わる画像形成装置のハードウェア構成を示す図である。
【図９】本実施形態に係わる画像形成装置による騒音を低減する処理のフローチャートである。
【図１０】本実施形態に係わる画像形成装置のハードウェア構成を示す図である。
【図１１】本実施形態に係わる画像形成装置による騒音を低減する処理のフローチャートである。
【符号の説明】
【００６３】
１    スキャナ部
２    レーザユニット
３    感光体ドラム
４    現像器
５    給紙部
６    転写部
７    クリーニングブレード
８    ドラムクリーナ部
９    紙搬送部
１０    定着部
１１    高圧電源部
１２    計時部
１３    温度センサ
１４    湿度センサ
【図１】
2007034206.tif 000003
【図２】
2007034206.tif 000004
【図３】
2007034206.tif 000005
【図４】
2007034206.tif 000006
【図５】
2007034206.tif 000007
【図６】
2007034206.tif 000008
【図７】
2007034206.tif 000009
【図８】
2007034206.tif 000010
【図９】
2007034206.tif 000011
【図１０】
2007034206.tif 000012
【図１１】
2007034206.tif 000013